(57)【要約】【課題】機能性材料の流出を抑制することができるペット用吸収性シートを提供する。【解決手段】ペット用吸収性シート１０は、表面シート１２と、裏面シート１４と、表面シート１２と裏面シート１４との間に設けられた吸収体２０と、機能性材料４０と、表面シート１２側から裏面シート１４の方へ向かって凹む凹部５０と、を有する。機能性材料４０は、凹部５０の位置に設けられている。【選択図】図２
2019000046.tif 000002
【特許請求の範囲】
【請求項１】
表面シートと、
裏面シートと、
前記表面シートと前記裏面シートとの間に設けられた吸収体と、
機能性材料と、
前記表面シート側から前記裏面シートの方へ向かって凹む凹部と、を有し、
前記機能性材料は、前記凹部の位置に設けられている、ペット用吸収性シート。
【請求項２】
前記機能性材料は、前記凹部の位置で、前記表面シートよりも前記吸収体側に設けられている、請求項１に記載のペット用吸収性シート。
【請求項３】
前記凹部は、少なくとも前記吸収体を圧縮したエンボス部によって構成されている、請求項１又は２に記載のペット用吸収性シート。
【請求項４】
前記機能性材料は耐水剤を含む、請求項１から３のいずれか１項に記載のペット用吸収性シート。
【請求項５】
前記耐水剤は耐水性樹脂を含む、請求項４に記載のペット用吸収性シート。
【請求項６】
前記機能性材料は、疎水性を有する、請求項１から５のいずれか１項に記載のペット用吸収性シート。
【請求項７】
前記機能性材料は着色剤を含む、請求項１から６のいずれか１項に記載のペット用吸収性シート。
【請求項８】
前記表面シート側から見たときの前記凹部の位置の彩度と前記凹部のまわりの領域の彩度との差が、１０％以上である、請求項７に記載のペット用吸収性シート。
【請求項９】
前記凹部の位置の彩度は、前記凹部のまわりの領域の彩度よりも高い、請求項７又は８に記載のペット用吸収性シート。
【請求項１０】
前記凹部のまわりの領域の彩度が５％以内である、請求項７から９のいずれか１項に記載のペット用吸収性シート。
【請求項１１】
前記裏面シートの一部は前記表面シートよりも外側へ延びており、
前記凹部の位置の彩度と前記裏面シートの彩度の差が５％以内である、請求項７から１０のいずれか１項に記載のペット用吸収性シート。
【請求項１２】
前記裏面シートの一部は前記表面シートよりも外側へ延びており、
前記凹部の位置の色相と前記裏面シートの色相との差が３０度以内である、請求項７から１１のいずれか１項に記載のペット用吸収性シート。
【発明の詳細な説明】
【技術分野】
【０００１】
本発明は、ペットの排泄物、例えば尿を吸収するペット用吸収性シートに関する。
【背景技術】
【０００２】
ペットの排泄物、例えば尿を吸収するペット用吸収性シートが知られている（下記の特許文献１及び特許文献２参照）。ペット用吸収性シートは、液不透過性の裏面シートと、液透過性の表面シートと、裏面シートとシートとの間に位置する吸収体と、を有する。
【０００３】
特許文献１は、香料成分、消臭成分、殺菌成分の少なくとも１つの成分を含む薬液を付着させた表面シートを備えたペット用吸収性シートを開示する。
【０００４】
特許文献２は、水分によって機能を発揮する機能性インクで形成されたｐＨ判別部を有するペット用吸収性シートを開示する。このｐＨ判別部は、表面シート上、又は表面シートの裏側に隣接するシート体上に設けられている。
【先行技術文献】
【特許文献】
【０００５】
【特許文献１】特開２００６−２３８７４５号
【特許文献２】特開２０１３−１７９８５８号
【発明の概要】
【発明が解決しようとする課題】
【０００６】
特許文献１及び特許文献２では、香料成分、消臭成分、殺菌成分、機能性インクのような機能性材料が、表面シート、又は表面シートに隣接するシートに設けられている。
【０００７】
しかしながら、ペットが、ペット用吸収性シートの表面を引っ掻いてしまった場合、表面シートの傷や破れから機能性材料が流出することがある。したがって、ペットが複数回の排泄行為を行う程の長期間にわたってペット用吸収性シートを使用し続ける前に、機能性材料の機能が低下してしまうことがある。
【０００８】
よって、機能性材料の流出を抑制することができるペット用吸収性シートが望まれる。
【課題を解決するための手段】
【０００９】
一態様に係るペット用吸収性シートは、表面シートと、裏面シートと、前記表面シートと前記裏面シートとの間に設けられた吸収体と、機能性材料と、前記表面シート側から前記裏面シートの方へ向かって凹む凹部と、を有する。前記機能性材料は、前記凹部の位置に設けられている。
【発明の効果】
【００１０】
上記態様によれば、機能性材料の流出を抑制することができるペット用吸収性シートを提供することができる。
【図面の簡単な説明】
【００１１】
【図１】第１実施形態に係るペット用吸収性シートの平面図である。
【図２】図１に示すＡ−Ａ線に沿ったペット用吸収性シートの模式的断面図である。
【発明を実施するための形態】
【００１２】
（１）実施形態の概要
本明細書及び添付図面の記載により、少なくとも以下の事項が明らかとなる。
【００１３】
一態様に係るペット用吸収性シートは、表面シートと、裏面シートと、前記表面シートと前記裏面シートとの間に設けられた吸収体と、機能性材料と、前記表面シート側から前記裏面シートの方へ向かって凹む凹部と、を有し、前記機能性材料は、前記凹部の位置に設けられている。
【００１４】
本態様によれば、機能性材料は、凹部の位置に設けられている。言い換えると、機能性材料は、ペット用吸収性シートの最表面よりも凹んだ位置に設けられている。したがって、ペットが、ペット用吸収性シートの最表面を引っ掻いてしまった場合であっても、機能性材料の流出を抑制することができる。
【００１５】
好ましい一態様によれば、前記機能性材料は、前記凹部の位置で、前記表面シートよりも前記吸収体側に設けられている。
【００１６】
本態様によれば、機能性材料が表面シートよりも吸収体側に設けられているため、ペットが、ペット用吸収性シートの最表面を引っ掻いてしまった場合であっても、機能性材料の流出をより抑制することができる。
【００１７】
好ましい一態様によれば、前記凹部は、少なくとも前記吸収体を圧縮したエンボス部によって構成されている。
【００１８】
エンボス部は、一般にエンボスローラの凸部で少なくとも吸収体を圧縮することによって形成される。このエンボスローラの凸部に機能性材料を塗っておくことで、エンボス部の位置に機能性材料を正確に転写することができる。すなわち、凹部をエンボス部によって構成することで、機能性材料をエンボス部に正確に転写し易くなる。
【００１９】
好ましい一態様によれば、前記機能性材料は耐水剤を含む。耐水剤により、ペットの排泄物の拡散をコントロールすることができる。本態様では、耐水剤は凹部の位置に設けられており、厚み方向における内部に位置している。したがって、吸収体に吸収された排泄物が、吸収体の内部で円形に広がっていくことを抑制することができる。
【００２０】
また、一度した排泄物の広がりを抑制できれば、排泄物を吸収していない領域を確保することができるため、ペットは、排泄物を吸収していない領域で再度排泄行為をすることができる。例えば犬のようなペットは、排尿跡が見える場所に再び排泄をしないという習性を持っている。したがって、耐水剤及び凹部のパターンにより排泄物の拡散を適切にコントロールすることができれば、複数回の排泄行為を行う程の長期間にわたってペット用吸収性シートを使用し続けることができる。
【００２１】
好ましい一態様によれば、前記耐水剤は耐水性樹脂を含む。本態様によれば、耐水剤は、樹脂を含む溶剤を凹部に吐工した後に、揮発・乾燥によって樹脂を固化させることで凹部の位置に耐水剤の塗膜を容易に形成することができる。
【００２２】
好ましい一態様によれば、前記機能性材料は、疎水性を有する。一般的に、ペット用吸収性シートがペットの排泄物、例えば尿を吸収すると、排泄物を吸収した領域は、くすんだ色になる。本態様では、凹部の位置に疎水性を有する機能性材料を設けることで、凹部の表面の繊維間の空隙が機能性材料で覆われ、凹部の位置では排泄物が吸収し難くなる。そのため、ペット用吸収性シートが排泄物を吸収した場合であっても、凹部の位置と、凹部のまわりの領域とで、見え方に差が生じる。これにより、ユーザは、排泄物によって濡れた領域と、濡れていない領域とを容易に区別することができる。ユーザは、濡れた領域と濡れていない領域とを認識することによって、ペット用吸収性シートを交換するタイミングを容易に認識することができる。
【００２３】
好ましい一態様によれば、前記機能性材料は着色剤を含む。本態様によれば、着色剤が凹部の位置に設けられるため、表面シート側から見たときに、凹部の位置と凹部のまわりの領域との間で色差が生じる。ユーザは、この色差によって凹部の深さを認識し易くなり、それゆえペット用吸収性シートの厚みを感じ易くなる。ユーザがペット用吸収性シートの厚みが厚いと感じることで、ペット用吸収性シートが複数回の排泄行為に耐え得るものであるという安心感をユーザに与えることができる。
【００２４】
好ましい一態様によれば、前記表面シート側から見たときの前記凹部の位置の彩度と前記凹部のまわりの領域の彩度との差が、１０％以上である。これにより、凹部の位置と凹部のまわりの領域との色の違いをより認識し易くなり、それゆえペット用吸収性シートの厚みをより感じ易くなる。
【００２５】
好ましい一態様によれば、前記凹部の位置の彩度は、前記凹部のまわりの領域の彩度よりも高い。前記凹部の位置の色を凹部のまわりの領域よりも鮮やかにすることで、凹部の位置と凹部のまわりの領域との色の違いをより認識し易くなり、それゆえペット用吸収性シートの厚みをより感じ易くなる。
【００２６】
好ましい一態様によれば、前記凹部のまわりの領域の彩度が５％以内である。これにより、凹部のまわりの領域が実質的に無彩色になる。したがって、無彩色の背景内に、より鮮やかな彩度を有する凹部が配置されることになり、ユーザは、錯視効果により、凹部の深さをより深く感じることになる。したがって、ペット用吸収性シートの厚みをユーザにより感じ易くさせることができる。
【００２７】
好ましい一態様によれば、前記裏面シートの一部は前記表面シートよりも外側へ延びており、前記凹部の位置の彩度と前記裏面シートの彩度の差が５％以内である。凹部の位置の彩度を裏面シートの彩度に近づけることで、凹部の底が厚み方向において裏面シートの位置に近いとユーザに感じさせることができる。凹部の厚みが厚いとユーザに感じさせることになるため、ペット用吸収性シートの厚みをユーザにより感じ易くさせることができる。
【００２８】
好ましい一態様によれば、前記裏面シートの一部は前記表面シートよりも外側へ延びており、前記凹部の位置の色相と前記裏面シートの色相との差が３０度以内である。
【００２９】
本態様によれば、凹部の位置の色相を裏面シートの色相に近づけることで、凹部の底が厚み方向において裏面シートの位置に近いとユーザに感じさせることができる。凹部の厚みが厚いとユーザに感じさせることになるため、ペット用吸収性シートの厚みをユーザにより感じ易くさせることができる。
【００３０】
（２）ペット用吸収性シートの構成
以下、図面を参照して、実施形態に係るペット用吸収性シートについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３１】
本明細書において、「ペット」は、脊椎動物や無脊椎動物を広く包含し、典型的には、猫、犬、ウサギ、ハムスターなどの愛玩動物を含む。
【００３２】
図１は、第１実施形態に係るペット用吸収性シートの平面図である。図２は、図１に示すＡ−Ａ線に沿ったペット用吸収性シートの模式的断面図である。ペット用吸収性シート１０は、概して平坦なシートである。ペット用吸収性シート１０の一方の面は、ペットの排泄物を受ける面であり、以下では「排泄面」とも称される。なお、図１は、排泄面側から見たペット用吸収性シートの平面図である。
【００３３】
ペット用吸収性シート１０は、表面側に配置される表面シート１２と、裏面側に配置される裏面シート１４と、吸収体２０と、を有する。吸収体２０は、表面シート１２と裏面シート１４との間に設けられている。
【００３４】
表面シート１２は、ペットの排泄物のような液体を透過する透液性シートであってよい。透液性シートは、例えば透液性を有する不織布、又は開口フィルムによって構成されていてよい。
【００３５】
裏面シート１４は、ペットの排泄物のような液体を透過しない不透液性シートであってよい。裏面シート１４は、特に制限されないが、例えば樹脂フィルムシートによって構成されていてよい。
【００３６】
本実施形態では、裏面シート１４の一部は表面シート１２よりも外側へ延びている。したがって、ペット用吸収性シート１０の外周部では、排泄面側から裏面シート１４が視認可能となっている。
【００３７】
吸収体２０は、吸収コア３０と、吸収コア３０を包むコアラップ３３と、を含んでいてよい。コアラップ３３は、吸収コア３０の排泄面側を覆うカバー層３４と、吸収コア３０の側面及び裏面を覆うラップ層３５と、を含んでいてよい。この場合、吸収コア３０は、カバー層３４とラップ層３５とによって包まれる。カバー層３４及びラップ層３５は、特に限定されないが、例えば透液性のティッシュから構成することができる。
【００３８】
吸収コア３０は、特に限定されないが、パルプのような親水性繊維３１、及び高吸収性ポリマー（ＳＡＰ）３２、又はこれらの組合せを含んでいてよい。一例として、本実施形態では、親水性繊維層３１上に高吸収性ポリマー（ＳＡＰ）３２が設けられている。親水性繊維層３１は、不図示のティッシュ層によって包まれていてもよい。
【００３９】
ペット用吸収性シート１０は、表面シート１２側から裏面シート１４の方へ向かって凹む凹部５０を有する。以下、この凹部５０を便宜上「表面凹部５０」と称する。表面凹部５０は、少なくとも吸収体２０に形成されていてよい。
【００４０】
表面凹部５０は、吸収体２０上に少なくとも１つ設けられていてよい。本実施形態では、多数の点状の表面凹部５０が設けられている。これらの点状の表面凹部５０は、断続的なラインを構成するように並んでいてもよい。この代わりに、表面凹部５０は、連続的なラインを構成するように直線的又は曲線的に延びていてもよい。
【００４１】
表面凹部５０は、少なくとも吸収体２０を圧縮したエンボス部によって構成されていてよい。このエンボス部は、吸収体２０のみを圧縮することによって形成されていてもよく、吸収体２０と表面シート１２の両方を圧縮することによって形成されていてもよい。表面凹部５０がエンボス部により構成されている場合、表面凹部５０の位置における吸収体２０の密度は、表面凹部５０のまわりの吸収体２０の密度よりも高くなっている。
【００４２】
代替的に、表面凹部５０は、少なくとも吸収体２０の目付を低くすることによって構成されていてもよい。この場合、表面凹部５０の位置における吸収体２０の目付は、表面凹部５０のまわりの吸収体２０の目付よりも低くなっていてよい。
【００４３】
ペット用吸収性シート１０は、機能性材料４０を有する。機能性材料４０は、耐水剤、着色剤若しくは薬剤、又はこれらの組み合わせを含んでいてよい。耐水剤は、例えば耐水性樹脂を含んでいてよい。耐水剤は、一例として、アクリル系の耐水性樹脂を用いることができる。耐水剤が耐水性樹脂を含む場合、樹脂を含む溶剤を凹部に吐工した後に、揮発・乾燥によって樹脂を固化させることで表面凹部５０の位置に耐水剤の塗膜を容易に形成することができる。
【００４４】
着色剤は、表面凹部５０の位置を着色できればどのような剤によって構成されていてもよい。着色剤は、親水性であっても疎水性であってもよい。好ましくは、着色剤は、疎水性又は耐水剤を有する。
【００４５】
機能性材料４０は表面凹部５０の位置に設けられている。好ましくは、機能性材料４０は、表面凹部５０の位置で、表面シート１２よりも吸収体２０側に設けられている。本実施形態では、機能性材料４０は、一例として、表面凹部５０の位置で、吸収体２０を構成するカバー層３４上に設けられている。
【００４６】
機能性材料４０は、表面凹部５０の位置、言い換えるとペット用吸収性シート１０の最表面よりも凹んだ位置に設けられている。したがって、ペットが、ペット用吸収性シート１０の最表面を引っ掻いてしまった場合であっても、機能性材料４０の流出を抑制することができる。
【００４７】
機能性材料４０が表面凹部５０に設けられている場合、表面凹部５０は、少なくとも吸収体２０を圧縮したエンボス部によって構成されていることが好ましい。エンボス部は、一般にエンボスローラに形成された凸部で少なくとも吸収体２０を圧縮することによって形成される。このエンボスローラの凸部に機能性材料４０を塗っておくことで、エンボス部の位置に機能性材料４０を正確に転写することができる。すなわち、表面凹部５０をエンボス部によって構成することで、機能性材料４０をエンボス部に正確に転写し易くなる。
【００４８】
一態様では、機能性材料４０は耐水剤を含むことが好ましい。耐水剤により、ペットの排泄物の拡散をコントロールすることができる。本態様では、耐水剤は表面凹部５０の位置に設けられており、厚み方向における吸収体２０の表面から凹んだ位置に存在している。したがって、吸収体２０に吸収された排泄物が、吸収体２０の内部で円形に広がっていくことを抑制することができる。
【００４９】
一度した排泄物の広がりを抑制できれば、排泄物を吸収していない領域を確保することができるため、ペットは、排泄物を吸収していない領域で再度排泄行為をすることができる。例えば犬のようなペットは、排尿跡が見える場所に再び排泄をしないという習性を持っている。したがって、耐水剤及び表面凹部５０のパターンにより排泄物の拡散を適切にコントロールすることができれば、複数回の排泄行為を行う程の長期間にわたってペット用吸収性シート１０を使用し続けることができる。
【００５０】
このような効果をより発揮させるために、表面凹部５０は、連続的又断続的なラインを構成するように設けられていることが好ましい。本明細書において、「断続的なライン」は、ユーザの視覚により「断続的なライン」と見做せる程度に近接した表面凹部５０を繋いだ仮想ラインによって規定される。具体的には、仮想ラインは、特定の表面凹部５０と当該特定の表面凹部５０に最も近い表面凹部５０との間の距離の１．５倍以下の距離だけ特定の表面凹部５０から離れた位置に存在する表面凹部５０と、当該特定の表面凹部５０と、を結ぶラインによって規定される。また、一例として、仮想ラインは、間隔が１ｃｍ以下、より好ましくは５ｍｍ以下の表面凹部５０どうしを繋いだラインによって規定してもよい。
【００５１】
機能性材料４０は、疎水性を有していてよい。一般的に、ペット用吸収性シート１０がペットの排泄物、例えば尿を吸収すると、排泄物を吸収した領域は、くすんだ色になる。本態様では、表面凹部５０の位置に疎水性を有する機能性材料４０を設けることで、表面凹部５０の表面の繊維間の空隙が機能性材料４０で覆われ、表面凹部５０の位置では排泄物が吸収し難くなる。そのため、ペット用吸収性シート１０が排泄物を吸収した場合であっても、表面凹部５０の位置と、表面凹部５０のまわりの領域とで、見え方に差が生じる。これにより、ユーザは、排泄物によって濡れた領域と、濡れていない領域とを容易に区別することができる。ユーザは、濡れた領域と濡れていない領域とを認識することによって、ペット用吸収性シート１０を交換するタイミングを容易に認識することができる。
【００５２】
一態様によれば、機能性材料４０は着色剤を含んでいることが好ましい。着色剤が表面凹部５０の位置に設けられると、表面シート１２側から見たときに、表面凹部５０の位置と表面凹部５０のまわりの領域との間で色差が生じる。ユーザは、この色差によって表面凹部５０の深さを認識し易くなり、それゆえペット用吸収性シート１０の厚みを感じ易くなる。ユーザはペット用吸収性シート１０が厚いと感じることで、ペット用吸収性シート１０が複数回の排泄行為に耐え得るものであるという安心感をユーザに与えることができる。
【００５３】
着色剤は、ペット用吸収性シート１０の表面凹部５０の位置の彩度と、表面凹部５０の周りの領域の彩度と、に差を与えることができる。表面シート１２側から見たときに、表面凹部５０の位置の彩度は、表面凹部５０のまわりの領域の彩度よりも高いことが好ましい。表面凹部５０の位置の色を表面凹部５０のまわりの領域よりも鮮やかにすることで、ユーザは、表面凹部５０の位置と表面凹部５０のまわりの領域との色の違いをより認識し易くなる。したがって、ユーザは、ペット用吸収性シート１０の厚みをより感じ易くなる。
【００５４】
表面凹部５０のまわりの領域の彩度は５％以内であることが好ましい。なお、本明細書において、色相、彩度及び明度は、ＨＳＶ色空間（ＨＳＢ色空間とも呼ばれる）によって定義される（以下、同様）。これにより、表面凹部５０のまわりの領域は無彩色になる。したがって、無彩色の背景の領域内に、より鮮やかな彩度を有する表面凹部５０が配置されることになる。これにより、ユーザは、錯視効果によって、表面凹部５０の深さをより深く感じることになる。したがって、ペット用吸収性シート１０の厚みをユーザにより感じ易くさせることができる。
【００５５】
さらに、より鮮やかな彩度を有する表面凹部５０が白色の背景の領域内に配置されると、ユーザは、錯視効果によって、表面凹部５０の深さをより深く感じることになる。このような観点から、表面凹部５０のまわりの領域は実質的に白色であることがより好ましい。例えば、表面凹部５０のまわりの領域の彩度が５％以内であり、かつ明度が９０％以上であることが好ましい。
【００５６】
表面シート側から見たときの表面凹部５０の位置の彩度と表面凹部５０のまわりの領域の彩度との差は、比較的大きい、具体的には１０％以上であることが好ましい。これにより、ユーザは、表面凹部５０の位置と表面凹部５０のまわりの領域との色の違いをより認識し易くなり、それゆえペット用吸収性シート１０の厚みをより感じ易くなる。
【００５７】
裏面シート１４の一部が表面シート１２よりも外側へ延びている場合、排泄面側から見たときに、表面凹部５０の位置の彩度と裏面シート１４の彩度の差が、比較的小さい、具体的には５％以内であることが好ましい。表面凹部５０の位置の彩度を裏面シート１４の彩度に近づけることで、表面凹部５０の底が厚み方向において裏面シート１４の位置に近いとユーザに感じさせることができる。表面凹部５０の厚みが厚いとユーザに感じさせることができるため、ペット用吸収性シート１０の厚みをユーザにより感じ易くさせることができる。
【００５８】
排泄面側から見たときに、表面凹部５０の位置の色相と裏面シート１４の色相との差は、比較的小さい、具体的には３０度以内であることが好ましい。表面凹部５０の位置の色相を裏面シート１４の色相に近づけることで、表面凹部５０の底が厚み方向において裏面シート１４の位置に近いとユーザに感じさせることができる。表面凹部５０の厚みが厚いとユーザに感じさせることになるため、ペット用吸収性シート１０の厚みをユーザにより感じ易くさせることができる。
【００５９】
なお、ＨＳＶ色空間における色相、彩度及び明度は、目視によって予め用意された色見本と比較することによって確認することができる。
【００６０】
次に、比較例１，２及び実施例１〜４を参照しつつ、ペット用吸収性シートの官能評価の結果について説明する。比較例１は、機能性材料４０としての着色剤と表面凹部５０を含まないペット用吸収性シートである。比較例１のペット用吸収性シートのその他の構成は、図１及び図２に示すペット用吸収性シート１０と同じである。
【００６１】
比較例２は、表面凹部５０を有するが、機能性材料４０としての着色剤を含まないペット用吸収性シートである。比較例２のペット用吸収性シートのその他の構成は、図１及び図２に示すペット用吸収性シート１０と同じである。
【００６２】
実施例１〜４は、表面凹部５０と機能性材料４０としての着色剤を含むペット用吸収性シート１０である。なお、比較例１，２及び実施例１〜４に係るペット用吸収性シートの厚みはすべて同じである。
【００６３】
ここで、比較例１，２及び実施例１〜４において、表面シート１２は白色であり、表面シート１２自体の彩度は０％、表面シート１２自体の明度は１００％である。したがって、比較例２において、表面凹部５０の位置での彩度は０％、表面凹部５０の位置での明度は１００％である。
【００６４】
実施例１〜４では、機能性材料４０としての着色剤により、表面凹部５０の位置での彩度及び色相が、比較例２のものと異なっている。具体的には、実施例１〜４では、表面凹部５０の位置での明度が１００％である。
【００６５】
実施例１，３では、表面凹部５０の位置での彩度が１０％である。また、実施例２，４では、表面凹部５０の位置での彩度が５０％である。また、実施例１，２では、表面凹部５０の位置での色相が１５５度である。さらに、実施例３，４では、表面凹部５０の位置での色相が２８０度である。
【００６６】
官能評価は、以下のように実施された。１０人の人が、比較例２及び実施例１〜４に係るペット用吸収性シートのそれぞれを、比較例１のペット用吸収性シートと見比べた。その結果、比較例２及び実施例１〜４に係るペット用吸収性シートのそれぞれが、比較例１のペット用吸収性シートよりも「厚く見える」か、「変わらない厚みに見える」か、「より薄く見える」か、を評価した。以下の表１では、「厚く見える」、「変わらない厚みに見える」、「より薄く見える」と答えた人の人数が示されている。
【００６７】
【表１】
2019000046.tif 000003
【００６８】
官能評価の結果、表面凹部５０と機能性材料４０としての着色剤を含むペット用吸収性シート（実施例１〜４）において、比較例１よりも厚く見えること答えた人の人数が大幅に増加した。すなわち、表面凹部５０の位置に着色剤を設けることによって、ユーザにペット用吸収性シートがより厚いと認識させることができることがわかった。また、実施例１〜４の結果から、表面シート側から見たときの表面凹部５０の位置の彩度と表面凹部５０のまわりの領域の彩度との差が１０％以上であれば、ユーザに十分にペット用吸収性シートの厚みを感じさせることができることがわかる。
【００６９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００７０】
１０  ペット用吸収性シート
１２  表面シート
１４  裏面シート
２０  吸収体
３０  吸収コア
４０  機能性材料
５０  凹部
【図１】
2019000046.tif 000004
【図２】
2019000046.tif 000005